【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
それぞれ原画を形成する第１及び第２の画像形成素子と、
該第１及び第２の画像形成素子からの光束をそれぞれ第１及び第２の観察領域に導く光学系とを有し、
前記光学系は、前記第１及び第２の観察領域の間を通る面を対称面とする面対称に構成されており、
前記第１の画像形成素子及び前記第１の観察領域は前記対称面に対して一方の側の第１の領域に、前記第２の画像形成素子及び前記第２の観察領域は前記対称面に対して他方の側の第２の領域にそれぞれ配置されており、
前記光学系は、
前記第１の画像形成素子からの光束を、前記第１の領域に配置された反射面で反射した後、前記対称面に対して前記第２の領域に配置された反射面での反射を介して前記第１の観察領域に導き、
前記第２の画像形成素子からの光束を、該第２の領域に配置された反射面で反射した後、前記第１の領域側に配置された反射面での反射を介して前記第２の観察領域に導くことを特徴とする画像表示装置。
【請求項２】
前記光学系は、
それぞれ前記第１及び第２の領域に配置され、前記第１及び第２の画像形成素子からの光束を反射する一対の第１の反射面と、
それぞれ前記第２及び第１の領域に配置され、前記第１及び第２の領域に配置された前記第１の反射面からの光束を反射する一対の第２の反射面と、
それぞれ前記第１及び第２の領域に配置され、前記第２及び第１の領域に配置された前記第２の反射面を介した光束を反射して前記第１及び第２の観察領域に導く一対の第３の反射面とを有することを特徴とする請求項１に記載の画像表示装置。
【請求項３】
前記光学系は、それぞれ前記第２及び１の領域に配置され、前記第２及び第１の領域に配置された前記第２の反射面で反射した光束を前記第１及び第２の領域に配置された前記第３の反射面に向けて反射する第４の反射面を有することを特徴とする請求項２に記載の画像表示装置。
【請求項４】
前記第２の反射面は、前記第１の反射面からの光束を再度該第１の反射面に向けて反射し、
該第１の反射面で再度反射した光束は、前記第３の反射面に向かうことを特徴とする請求項２に記載の画像表示装置。
【請求項５】
前記第１及び第２の画像形成素子は、前記対称面に対して対称な位置に配置されていることを特徴とする請求項１から４のいずれか１つに記載の画像表示装置。
【請求項６】
前記対称面から各画像形成素子までの距離が、該対称面から各観察領域までの距離よりも長いことを特徴とする請求項１から５のいずれか１つに記載の画像表示装置。
【請求項７】
前記光学系は、前記対称面に直交する断面に対して面対称な形状を有することを特徴とする請求項１から６のいずれか１つに記載の画像表示装置。
【請求項８】
前記光学系は、該光学系内に中間実像を形成することを特徴とする請求項１から７のいずれか１つに記載の画像表示装置。
【請求項９】
前記光学系は、複数の反射面を有し、
該複数の反射面のうち少なくとも２つは偏心反射面であることを特徴とする請求項１から８のいずれか１つに記載の画像表示装置。
【請求項１０】
前記光学系は、複数の反射面を有し、
該複数の反射面は、凹面反射面と凸面反射面とを少なくとも１つずつ含むことを特徴とする請求項１から９のいずれか１つに記載の画像表示装置。
【請求項１１】
請求項１から１０のいずれか１つに記載の画像表示装置と、
該画像表示装置に画像情報を供給する画像情報供給装置とを有することを特徴とする画像表示システム。
【手続補正２】
【補正対象書類名】明細書
【補正対象項目名】０００９
【補正方法】変更
【補正の内容】
【０００９】
本発明の一側面としての画像表示装置は、それぞれ原画を形成する第１及び第２の画像形成素子と、該第１及び第２の画像形成素子からの光束をそれぞれ第１及び第２の観察領域に導く光学系とを有し、前記光学系は、前記第１及び第２の観察領域の間を通る面を対称面とする面対称に構成されており、前記第１の画像形成素子及び前記第１の観察領域は前記対称面に対して一方の側の第１の領域に、前記第２の画像形成素子及び前記第２の観察領域は前記対称面に対して他方の側の第２の領域にそれぞれ配置されており、前記光学系は、前記第１の画像形成素子からの光束を、前記第１の領域に配置された反射面で反射した後、前記対称面に対して前記第２の領域に配置された反射面での反射を介して前記第１の観察領域に導き、前記第２の画像形成素子からの光束を、該第２の領域に配置された反射面で反射した後、前記第１の領域側に配置された反射面での反射を介して前記第２の観察領域に導くことを特徴とする。
【手続補正３】
【補正対象書類名】明細書
【補正対象項目名】００１３
【補正方法】変更
【補正の内容】
【００１３】
図１において、１（第１の画像形成素子）は左眼ＥＬ用の画像形成素子である液晶表示素子（以下、ＬＣＤと記す）である。２は左眼ＥＬ用の偏心反射曲面群であり、ＳＬ１，ＳＬ２，ＳＬ３，ＳＬ４の４つのミラーにより構成されている。３はＬＣＤ１からの光束を集光するためのレンズである。これら偏心反射曲面群２およびレンズ３は、本実施例の左眼光学系を形成している。
【手続補正４】
【補正対象書類名】明細書
【補正対象項目名】００１４
【補正方法】変更
【補正の内容】
【００１４】
１’（第２の画像形成素子）は右眼ＥＲ用の画像形成素子であるＬＣＤである。２’は右眼ＥＲ用の偏心反射曲面群であり、ＳＲ１，ＳＲ２，ＳＲ３，ＳＲ４の４つのミラーにより構成されている。３’はＬＣＤ１’からの光束を集光するためのレンズである。これら偏心反射曲面群２’およびレンズ３’は、本実施例の右眼光学系を形成している。
【手続補正５】
【補正対象書類名】明細書
【補正対象項目名】００１９
【補正方法】変更
【補正の内容】
【００１９】
本実施例での光路について、まず左眼光学系から説明する。平面Ｃに対して左眼側（第１の領域）に配置されたＬＣＤ１からの光束は、レンズ３により集光され、４つのミラーＳＬ１，ＳＬ２，ＳＬ３，ＳＬ４によって囲まれた空間に入射する。該空間に導かれた光束は、平面Ｃよりも左眼側に配置されたミラー（第１の反射面）ＳＬ４によって反射され、平面Ｃよりも右眼側（他方の側）にあるミラー（第２の反射面）ＳＬ３に向かう。ミラーＳＬ３で反射された光束は、平面Ｃよりも右眼側にあるミラー（第４の反射面）ＳＬ２によって反射された後、平面Ｃよりも左眼側にあるミラー（第３の反射面）ＳＬ１に向かう。ミラーＳＬ１で反射された光束は、射出瞳を形成し、該射出瞳の位置又はその近傍である観察領域（第１の観察領域）に置かれた観察者の左眼ＥＬに導かれる。これにより、観察者の左眼ＥＬには、左眼用のＬＣＤ１に表示された原画の拡大像が提示される。
【手続補正６】
【補正対象書類名】明細書
【補正対象項目名】００２１
【補正方法】変更
【補正の内容】
【００２１】
該空間に導かれた光束は、平面Ｃよりも右眼側に配置されたミラー（第１の反射面）ＳＲ４によって反射され、平面Ｃよりも左眼側（第２の領域）にあるミラー（第２の反射面）ＳＲ３に向かう。ミラーＳＲ３で反射された光束は、平面Ｃよりも左眼側にあるミラーＳＲ２によって反射された後、平面Ｃよりも右眼側にあるミラー（第３の反射面）ＳＲ１に向かう。ミラーＳＲ１で反射された光束は、射出瞳を形成し、該射出瞳の位置又はその近傍である観察領域（第２の観察領域）に置かれた観察者の右眼ＥＲに導かれる。これにより、観察者の左眼ＥＲには、右眼用のＬＣＤ１’に表示された原画の拡大像が提示される。